(57)【要約】【課題】  外科手術用医療装置が開示されている。【解決手段】  本発明による外科手術用医療装置は、流体の供給及び吸引のための供給管及び吸引管と、流体の流量調節のための調節部と、外部電源が印加される電源連結部とがそれぞれ内設され、施術者が把持するボディー部；上記ボディー部に着脱可能に結合されて上記電源連結部、供給管及び吸引管とそれぞれ連結され、端部に電極チップが突出形成された導電性の中空型アダプタと、上記アダプタを内部に収容した状態で相対移動し上記電極チップを選択的に内部に収納する挿入管とを含んで身体内患部に挿入される外科処置部；及び、上記電源連結部と連携された状態で上記ボディー部に備えられ、上記電極チップの患部に対する外科的処置を選択的に切り換える処置切換部；を含む。【選択図】      図２
2019198648.tif 000002
【特許請求の範囲】
【請求項１】
流体の供給及び吸引のための供給管及び吸引管と、流体の流量調節のための調節部と、外部電源が印加される電源連結部とがそれぞれ内設され、施術者が把持するボディー部；
上記ボディー部に着脱可能に結合されて上記電源連結部、供給管及び吸引管とそれぞれ連結され、端部に電極チップが突出形成された導電性の中空型アダプタと、上記アダプタを内部に収容した状態で相対移動し上記電極チップを選択的に内部に収納する挿入管とを含んで身体内患部に挿入される外科処置部；及び、
上記電源連結部と連携された状態で上記ボディー部に備えられ、上記電極チップの患部に対する外科的処置を選択的に切り換える処置切換部；を含むことを特徴とする外科手術用医療装置。
【請求項２】
上記処置切換部は、
上記電源連結部に接続されて、止血、凝固、切開及び停止モードのうち少なくとも２以上のモードにそれぞれ対応する制御電源が選択されるように切換作動するスイッチングモジュールからなることを特徴とする請求項１に記載の外科手術用医療装置。
【請求項３】
上記外科手術用医療装置は、
上記スイッチングモジュールに接続されて印加された制御電源が上記アダプタに選択的に伝達されるようにするために、上記ボディー部の一側には継電スイッチがさらに備えられることを特徴とする請求項２に記載の外科手術用医療装置。
【請求項４】
上記継電スイッチは、
上記ボディー部の内側で上記アダプタに向かって進退して上記アダプタに選択的に接続する接触端子と、上記接触端子から延長形成されて上記スイッチングモジュールに接続され上記接触端子が上記アダプタに接続されるように弾性力を発揮する板バネと、一端部が上記ボディー部の外側に突出し、他端部が上記接触端子に結合されて上記接触端子と上記アダプタとの間を選択的に断続させる押しボタンとを含むことを特徴とする請求項３に記載の外科手術用医療装置。
【請求項５】
上記調節部は、
上記ボディー部に対してそれぞれ上下移動可能に備えられた一対のボタン部；
一端部が上記ボディー部の内部に回動可能に設けられ、他端部が上記ボタン部の端部と接するように備えられ、上記ボタン部の上方移動によって回動して上記供給管と上記吸引管をそれぞれ加圧遮蔽する一対の加圧ロッド；及び、
上記ボディー部の内部に設けられ、上記ボタン部の上方移動と上記加圧ロッドの加圧遮蔽作動を強制する一対のばね；を含むことを特徴とする請求項２に記載の外科手術用医療装置。
【請求項６】
上記調節部は、
一対の上記ボタン部の間に備えられ、少なくともいずれか一つの上記ボタン部が押された状態で固定されるようにする固定維持部をさらに含むことを特徴とする請求項５に記載の外科手術用医療装置。
【請求項７】
上記ボディー部と上記外科処置部との間の着脱結合は、
上記ボディー部に内設され上記供給管及び吸引管とそれぞれ連通されるマニホールド及び上記マニホールドに連通された状態で突出形成される嵌合部を含む結合突起体と、上記アダプタと結合された状態で上記嵌合部の内側に嵌合される締結スリーブとを通してなされることを特徴とする請求項２に記載の外科手術用医療装置。
【請求項８】
上記アダプタに対する上記挿入管の相対移動は、
上記締結スリーブに対する制限された摺動が可能なように上記締結スリーブを収容し上記挿入管と結合されたノブを通してなされることを特徴とする請求項７に記載の外科手術用医療装置。
【請求項９】
上記アダプタは、
上記電極チップが露出されるように上記挿入管が相対移動する場合、
患部に対する上記電極チップの位置が安定的に離隔支持されるように、上記電極チップと対向する位置で露出と共に弾性変形される絶縁材質の支持部材をさらに含むことを特徴とする請求項２に記載の外科手術用医療装置。
【発明の詳細な説明】
【技術分野】
【０００１】
本発明は、外科手術用医療装置に関するものであり、より詳しくは、高周波の電気を用いて身体内患部に対する切開や止血（凝固）などの外科的処置が可能であり、外科的処置の前後に患部に対する洗浄が共に施されることができる医療装置に関するものである。
【背景技術】
【０００２】
外科手術に一般的に使用される電気メスまたは電気手術器と呼ばれる医療装置は、電気エネルギ（略３００ＫＨｚ〜３ＭＨｚ）を用いて患部を最小出血及び小さい痛みで切開し止血することができる装置であり、このような電気手術器の開発が医療技術の更なる発展の契機となったと言っても過言ではないほど現代の外科手術ではほぼ必須として使用されている。
【０００３】
電気手術器の外科的処置は、切開、止血（凝固）などに大きく分けることができ、切開は高周波の強い電源を用いて腫瘍や組織を切り取る処置のことを言い、凝固は切開時の印加電源よりも小さいエネルギを用いて患部や外科処置された部位を整えることを言い、止血は切開と凝固の中間的処理方式で、患部や外科処置された部位で発生する出血を速かに止めるための処置のことを言う。
【０００４】
このような電気手術器の外科的処置は、施術者が外部から提供される制御電源の周波数及び大きさをそれぞれ変化させることにより施されることができるようになる。
【０００５】
上記のような電気手術器に関連する先行技術のうち、韓国登録特許第１０−０３８９００６号（登録日：２００３年６月１３日）は、圧縮空気を用いた出血部位の探索及び処理器具に関する技術を開示している。
【０００６】
本先行技術によると、圧縮空気を用いて患部に溜まった血を瞬間的に分散させることにより出血部位の探索が非常に容易になり、エアブラシと電気焼灼器を共に構成することにより出血部位の迅速な探索と出血部位の焼灼とが同時になされて迅速な施術が可能であり、施術の全過程を助手の助けなしに施すことができるという効果を有し、食塩水の噴射及び吸入が可能なように構成することにより手術部位の清掃及び探索が可能で出血量の多少にかかわらず効果的に出血部位の処理が可能になるという利点を提供することができるようになる。
【０００７】
しかし、このような先行技術で提示される出血部位の探索及び処理器具は、次のような点で依然として改善が求められ、継続した改良の必要性がある。
【０００８】
提示された実施例のうち、患部と直接的に接触する電気焼灼器、吸入誘導管、食塩水供給導管及び空気誘導管それぞれが別個の管体として共に構成される場合、全体的な外縁が拡張されることから、構造的に腹腔鏡手術のような身体内患部に対する最小侵襲手術への適用が困難であるとの問題点がある。
【０００９】
また、上のような構造の出血部位の探索及び処理器具が最小侵襲手術に使用されるとしても、電気的外科処理及び患部清掃を行う電気焼灼器など（吸入誘導管、食塩水供給導管及び空気誘導管）が施術者の把持する本体に完全に固定されることから交換が不可能で外科的処置後に電気焼灼器などの再使用のための洗浄及び消毒が困難なためメンテナンスの不便が予想され、更に身体内患部の位置によっては電気焼灼器（電極チップ）が正確に位置することができるように回転させようとすると、施術者が手や手首または本体自体を回転させなければならないという点で手術執刀時の不便が生じる。
【００１０】
また、電気焼灼器を構成する導電性部材である電極チップが外部にそのまま露出されることから身体内への挿入時に電気的事故及び尖った端部による身体内部組織の毀損などが発生し得るため、これを効果的に防止して安全な使用を担保することができる構造的改善が求められている。
【先行技術文献】
【特許文献】
【００１１】
【特許文献１】韓国登録特許第１０−０３８９００６号公報（登録日：２００３年６月１３日)
【発明の概要】
【発明が解決しようとする課題】
【００１２】
本発明の目的は、身体内患部に対する最小侵襲手術時に施術者が把持して操作するハンドル部品と、身体内に侵襲して手術道具として利用される部品とが互いに着脱可能で各部品のメンテナンス上の利便性を向上し、身体内挿入時に電気的事故及び身体内部組織の損傷乃至毀損などを防止し、電極チップの患部に対する切開、止血、凝固などの外科的処置を簡便に切り換えることができる外科手術用医療装置を提供することにある。
【課題を解決するための手段】
【００１３】
上記目的は、流体の供給及び吸引のための供給管及び吸引管と、流体の流量調節のための調節部と、外部電源が印加される電源連結部とがそれぞれ内設され、施術者が把持するボディー部；上記ボディー部に着脱可能に結合されて上記電源連結部、供給管及び吸引管とそれぞれ連結され、端部に電極チップが突出形成された導電性の中空型アダプタと、上記アダプタを内部に収容した状態で相対移動し上記電極チップを選択的に内部に収納する挿入管とを含んで身体内患部へ挿入される外科処置部；及び、上記電源連結部と連携された状態で上記ボディー部に備えられ、上記電極チップの患部に対する外科的処置を選択的に切り換える処置切換部；を含むことを特徴とする外科手術用医療装置によって達成される。
【００１４】
上記処置切換部は、上記電源連結部に接続されて、止血、凝固、切開及び停止モードのうち少なくとも２以上のモードにそれぞれ対応する制御電源が選択されるように切換作動するスイッチングモジュールからなることができる。
【００１５】
上記外科手術用医療装置は、上記スイッチングモジュールに接続されて印加された制御電源が上記アダプタに選択的に伝達されるようにするために、上記ボディー部の一側には継電スイッチがさらに備えられることができる。
【００１６】
上記継電スイッチは、上記ボディー部の内側で上記アダプタに向かって進退して上記アダプタに選択的に接続する接触端子と、上記接触端子から延長形成されて上記スイッチングモジュールに接続され上記接触端子が上記アダプタに接続されるように弾性力を発揮する板バネと、一端部が上記ボディー部の外側に突出し、他端部が上記接触端子に結合されて上記接触端子と上記アダプタとの間を選択的に断続させる押しボタンとを含むことができる。
【００１７】
上記調節部は、上記ボディー部に対してそれぞれ上下移動可能に備えられた一対のボタン部；一端部が上記ボディー部の内部に回動可能に設けられ、他端部が上記ボタン部の端部と接するように備えられ、上記ボタン部の上方移動によって回動して上記供給管と上記吸引管をそれぞれ加圧遮蔽する一対の加圧ロッド；及び、上記ボディー部の内部に設けられ、上記ボタン部の上方移動と上記加圧ロッドの加圧遮蔽作動を強制する一対のばね；を含むことができる。
【００１８】
上記調節部は、一対の上記ボタン部の間に備えられ、少なくともいずれか一つの上記ボタン部が押された状態で固定されるようにする固定維持部をさらに含むことができる。
【００１９】
上記ボディー部と上記外科処置部との間の着脱結合は、上記ボディー部に内設され上記供給管及び吸引管とそれぞれ連通されるマニホールド及び上記マニホールドに連通された状態で突出形成される嵌合部を含む結合突起体と、上記アダプタと結合された状態で上記嵌合部の内側に嵌合される締結スリーブとを通してなされることができる。
【００２０】
上記アダプタに対する上記挿入管の相対移動は、上記締結スリーブに対する制限された摺動が可能なように上記締結スリーブを収容し上記挿入管と結合されたノブを通してなされることができる。
【００２１】
上記アダプタは、上記電極チップが露出されるように上記挿入管が相対移動する場合、患部に対する上記電極チップの位置が安定的に離隔支持されるように、上記電極チップと対向する位置で露出と共に弾性変形される絶縁材質の支持部材をさらに含むことができる。
【発明の効果】
【００２２】
本発明によれば、切開などの外科的処理と洗浄作動が一つの薄い管体形状からなる外科処置部を通していずれも施される一方、ボディー部に対して相対回転する電極チップが挿入管の内部に選択的に収納され、電極チップの患部に対する切開、止血、凝固などの外科的処置がボディー部に備えられた処置切換部を通して簡便且つ自在に切り換えられることにより、身体内患部に対する最小侵襲手術が電極チップによる身体内部組織の損傷乃至毀損や電気的事故などの心配なしに容易で迅速且つ精密に施されることができるようになる。
【００２３】
また、ボディー部と外科処置部とが相互着脱可能に結合される構造で具現されることにより、交換や再使用のための消毒乃至洗浄が容易になりメンテナンス上の利便性向上を図ることができる。
【図面の簡単な説明】
【００２４】
【図１ａ】本発明の実施例による外科手術用医療装置を相異なる方向からそれぞれ示した斜視図である。
【図１ｂ】本発明の実施例による外科手術用医療装置を相異なる方向からそれぞれ示した斜視図である。
【図２】図１ａの分解斜視図及び部分拡大図である。
【図３】図１ｂの切断線にそれぞれ基づいて本発明の実施例による継電スイッチの作動状態をそれぞれ示した図面である。
【図４】本発明の実施例による調節部の作動を示すための作動状態図である。
【図５】本発明の実施例によるボディー部と外科処置部との間の着脱結合及び挿入管の相対移動を示すための作動状態図である。
【図６】本発明の変形例によるアダプタに付設される支持部材の作動を示した図面である。
【発明を実施するための形態】
【００２５】
以下、添付図面を参照して本発明の望ましい実施例を詳しく説明すると、次の通りである。但し、本発明を説明するにあたって、既に公知となっている機能或いは構成に関する説明は、本発明の要旨を明瞭にするために省略することにする。
【００２６】
図１ａ及び図１ｂは本発明の実施例による外科手術用医療装置を相異なる方向からそれぞれ示した斜視図であり、図２は図１ａの分解斜視図及び部分拡大図であり、図３は図１ｂの切断線にそれぞれ基づいて本発明の実施例による継電スイッチの作動状態をそれぞれ示した図面であり、図４は本発明の実施例による調節部の作動を示すための作動状態図であり、図５は本発明の実施例によるボディー部と外科処置部との間の着脱結合及び挿入管の相対移動を示すための作動状態図であり、図６は本発明の変形例によるアダプタに付設される支持部材の作動を示した図面である。
【００２７】
発明の説明及び請求範囲などで方向を指称する上（上側）、下（下側）、左右（横側または側方）、前（正、前側）、後（背、後側）などは、権利限定の用途ではなく説明の便宜のために図面または構成間の相対的な位置を基準として定めたもので、以下で説明される各方向はこれと異なって特別に限定する場合を除き、これに基づくものである。
【００２８】
本発明による外科手術用医療装置１００は、最小侵襲手術に対する適用の容易性及び安全性は勿論のこと、手術に使われた構成部品のメンテナンス上の利便性と、施術者による外科的処置の便宜、迅速性及び精密性などの向上を図るために案出された発明であり、これを通して究極的には患者の迅速な治療及び回復が成し遂げられることができるようになる。
【００２９】
上記のような機能乃至作用を具現するために、本発明による外科手術用医療装置１００は、図面に示されているように、ボディー部１１０、外科処置部１２０、調節部１５０、電源連結部１６０、処置切換部１７０及び継電スイッチ１８０などを含んで構成されることができる。
【００３０】
以下では上述の各構成に関して具体的に説明することにする。
【００３１】
ボディー部１１０は、内部に各種部品の設置される空間が設けられ、施術者が手で把持することになる構成要素であり、その設置空間には流体の供給及び吸引のための供給管１１２及び吸引管１１４と、流体の流量調節のための調節部１５０と、外部から特定の制御電源が印加される電源連結部１６０とがそれぞれ内設されることができる。
【００３２】
このようなボディー部１１０は、施術者が片手で楽に且つ容易に把持することができ、把持した状態で手からの離脱を適切に低減することができる屈曲が外周面の一側に形成されたものであれば、どのような形状のものでも構わない。
【００３３】
但し、本発明の実施例によるボディー部１１０は、図１及び図２に示されているように後述する外科処置部１２０の長手方向に対して所定角度で折り曲げられた形態すなわち、全体的にピストル形状に製作されることができ、これは、外科処置部１２０による身体内手術時に施術者の手首が過度に曲がることを防止するためである。
【００３４】
このような形状のボディー部１１０の内側には結合突起体１１６が内設され、結合突起体１１６は後述する外科処置部１２０（具体的に、アダプタ１３０）に対して供給管１１２、吸引管１１４及び電源連結部１６０がそれぞれ連結されるように媒介する一方、外科処置部１２０とボディー部１１０との間の相対回転及び着脱結合が可能になるようにするために設けられる構成要素である。
【００３５】
具体的に、結合突起体１１６は、図２乃至図５などに示されているように、マニホールド１１６ａ及び嵌合部１１６ｂなどを含む一体型構造からなることができる。
【００３６】
このとき、マニホールド１１６ａは、ボディー部１１０に内設された状態で供給管１１２及び吸引管１１４とそれぞれ連通される一対の連結配管を有する管体形状の構成要素である。
【００３７】
そして、嵌合部１１６ｂは、単一の管体からなり、マニホールド１１６ａと連通され一体をなした状態で外科処置部１２０（具体的に、アダプタ１３０の締結スリーブ１３４）と嵌合される一方、アダプタ１３０と電源連結部１６０との間を電気的に連結するために貫通形成される端子接続孔１１６ｃが一側に備えられる構成要素である。
【００３８】
ここで端子接続孔１１６ｃは、図３（ａ）及び（ｂ）に示されているように、後述する電源連結部１６０と連携接続された処置切換部１７０（スイッチングモジュール）（及び継電スイッチ１８０の接触端子１８２）を通して提供される制御電源が管体形状の嵌合部１１６ｂを貫通して嵌合部１１６ｂの内側に結合されたアダプタ１３０（具体的に、パッキング端子１３４ｂ）に印加されるように機能することになる。
【００３９】
また、端子接続孔１１６ｃは、後述する継電スイッチ１８０の接触端子１８２との嵌合を通して外科処置部１２０がボディー部１１０から離脱乃至分離されることを防止するロック機能を行う一方、接触端子１８２との嵌合解除を通して外科処置部１２０がボディー部１１０から離脱乃至分離されるようにするロック解除機能を行うことになる。
【００４０】
すなわち、上のような端子接続孔１１６ｃの機能は全て後述する接触端子１８２の進退作動と相互連動して行われることである。
【００４１】
上述したマニホールド１１６ａ、嵌合部１１６ｂ及び端子接続孔１１６ｃは、絶縁性エンジニアリングプラスチックを素材として一体に射出成形されて結合突起体１１６をなすことができる。
【００４２】
供給管１１２は、外部の流体供給装置（図示せず）から提供される流体、すなわち、食塩水又は人工体液や空気、アルゴンガス又は麻酔ガスなどの伝達を受けて後述する外科処置部１２０に供給する管体形状の構成要素である。
【００４３】
このような供給管１１２の一端部はボディー部１１０の外側に露出されて外部の流体供給装置（図示せず）と連通され、他端部は結合突起体１１６のマニホールド１１６ａと連通されるように結合されることができる。
【００４４】
そして、吸引管１１４は、外部の流体供給装置（図示せず）から提供された後、供給管１１２と外科処置部１２０を通して所定の目的のために身体内に噴射された流体（食塩水又は人工体液や空気、アルゴンガス又は麻酔ガスなど）を吸引して外部に排出する管体形状の構成要素である。
【００４５】
このような吸引管１１４の一端部はボディー部１１０の外側に露出されて外部の流体供給装置（図示せず）や別途の貯蔵タンク（図示せず）と連通され、他端部は結合突起体１１６のマニホールド１１６ａと連通されるように結合されることができる。
【００４６】
外科処置部１２０は、身体内患部へ挿入されて切開、止血（凝固）などのような外科的処置と、流体供給装置（図示せず）から提供される流体の噴射及び吸入による患部周辺の洗浄などを共に行うことになる構成要素であり、全体的に一つの薄くて長い管体形状に製作されて上述のボディー部１１０に着脱可能に結合されることができる。
【００４７】
上述のような機能乃至作用を行うために、本発明の実施例による外科処置部１２０は、図１乃至図５に示されているようにアダプタ１３０及び挿入管１４０などを含んで構成されることができる。
【００４８】
具体的に、アダプタ１３０は、導電性素材で製作された管体形状からなり、外部の電源装置（図示せず）から供給される制御電源が後述する電源連結部１６０、処置切換部１７０及び嵌合部１１６ｂの端子接続孔１１６ｃを通して順に印加されて身体内患部に流すことにより切開、止血（凝固）などのような外科的処置を行う一方、内部に貫通形成された中空１３１を通して供給管１１２及び吸引管１１４とそれぞれ連通されて流体の噴射及び吸引機能をそれぞれ行う構成要素である。
【００４９】
このようなアダプタ１３０は、身体内患部に制御電源を流して外科的処置が患部に対して指向性を有し精密に行われるように、その一端部には外科処理用電極チップ１３２が突出形成されることができ、図２、図５及び図６に示されているように内側へ折り曲げられた形態であり得る。
【００５０】
このとき、導電性アダプタ１３０を通して患部に流される選択された電気エネルギ（略３００ＫＨｚ〜３ＭＨｚの範囲)  すなわち、所定の制御電源によってなされる切開、止血（凝固）などのような外科的処置に関連する技術的内容や原理は既に公知となっている事項であるため、具体的な説明は省略することにする。
【００５１】
その反面、電極チップ１３２が形成されたアダプタ１３０の反対側の他端部には締結スリーブ１３４が備えられることができる。ここで締結スリーブ１３４は、アダプタ１３０を内側に収容するように一体に結合された状態で上述の結合突起体１１６の嵌合部１１６ｂとの着脱結合及びボディー部１１０に対する外科処置部１２０の相対回転などを可能にする一方、嵌合部１１６ｂの端子接続孔１１６ｃを通して制御電源がアダプタ１３０に印加されるように媒介する構成要素である。
【００５２】
具体的に、締結スリーブ１３４は、上記のような機能乃至作用の具現のために、図３及び図５に示されているように、絶縁ボディ１３４ａ及びパッキング端子１３４ｂなどを含んで構成されることができる。
【００５３】
ここで絶縁ボディ１３４ａは、絶縁性エンジニアリングプラスチックを素材としてアダプタ１３０の他端部側を内部に収容するように結合されて嵌合部１１６ｂに嵌められる円筒状の構成要素であり、後述するノブ１４２の阻止突起１４２ｂによって離脱が防止されると共にノブ１４２に対する摺動を案内するように端部外縁が拡張形成された摺動板１３４ａ１が形成され、ノブ１４２のガイド突起１４２ａに嵌められてノブ１４２の摺動を案内するガイド溝１３４ａ２が摺動板１３４ａ１の一側に形成されることができる。
【００５４】
パッキング端子１３４ｂは、上述の絶縁ボディ１３４ａと接してアダプタ１３０の端部を内部に収容するように結合されて嵌合部１１６ｂに密閉された状態で嵌められる円筒形の構成要素であり、アダプタ１３０と通電がなされるように導電性素材で製作され、外周面の一側には嵌合部１１６ｂとの密閉結合のための一つ以上のＯリング１３４ｂ１が備えられ、端子接続孔１１６ｃと隣接する外周には後述する接触端子１８２が嵌められて接続されるリング状の締結溝１３４ｂ２が備えられることができる。
【００５５】
このとき、Ｏリング１３４ｂ１は、上述のマニホールド１１６ａを通して双方向流動する流体の漏出を防止し、嵌合部１１６ｂと締結スリーブ１３４との間の結合状態が堅固に維持されるようにする機能を行うことになる。
【００５６】
上記のような構成として一体化された締結スリーブ１３４と結合突起体１１６の嵌合部１１６ｂとの間の嵌合構造により、結局、図５に示されているように、外科処置部１２０はボディー部１１０に対して滑らかに着脱結合され相対回動されることができるのであり、アダプタ１３０に対する挿入管１４０の相対移動が滑らかになされることができるようになる。
【００５７】
一方、本発明の変形例によるアダプタ１３０は、図６に示されているように電極チップ１３２が露出されるように挿入管１４０が相対移動（後退）する場合、電極チップ１３２と対向する位置で露出と共に弾性変形される絶縁材質の支持部材１３５をさらに含むことができる。このような支持部材１３５によって患部に対する電極チップ１３２の位置が安定的に離隔支持されることができるようになる。
【００５８】
上述のような支持部材１３５は、加工性乃至成形性、耐衝撃性、耐熱性、耐薬品性、絶縁性などに優れ、秀でた相溶性によりＰＣ（ポリカーボネート）やポリウレタンなどと混合使用されて必要な弾性を確保することができるＡＢＳ（acrylonitrile-butadiene-styrene）樹脂または寸法安定性、難燃性、絶縁性、耐磨耗性などに優れ、やはり秀でた相溶性により必要な弾性を確保することができるＰＢＴ（polybutyrene  terephthalate  resin）樹脂などを素材として製作されてアダプタ１３０の端部に固定結合されることができる。
【００５９】
より具体的に、支持部材１３５は、一例として図６（ａ）に示されているように、まるで銃身を地面に立てるためのバイポッドのように、挿入管１４０から露出している時、電極チップ１３２から遠くなる方向に弾性変形されながら端部が相互広がる一対の支えロッド１３５ａからなることができ、このとき、支持ロッド１３５ａの各端部には、堅固な位置保持のための歯形固定部材１３５ｂが形成されることができる。
【００６０】
このような一例による構造からなる支持部材１３５（支えロッド１３５ａ及び固定部材１３５ｂ）を通して電極チップ１３２の位置が患部周辺に安定的に離隔支持されることにより、施術者はぶれなしに患部に対する外科的処置を正確に行うことができるようになる。
【００６１】
また、支持部材１３５は、他の一例として図６（ｂ）に示されているように、挿入管１４０から露出している時、電極チップ１３２から遠くなる方向に弾性変形される支持ロッド１３５ｃからなることができ、支持ロッド１３５ｃの端部には栓のように、支持ロッド１３５ｃが挿入管１４０に収納される場合に挿入管１４０の端部を閉鎖するための閉塞部材１３５ｄが形成されることができる。
【００６２】
このような他の一例による構造からなる支持部材１３５（支持ロッド１３５ｃ及び閉塞部材１３５ｄ）を通して電極チップ１３２の位置が安定的に離隔支持されることにより、施術者はぶれなしに患部に対する外科的処置を正確に行うことができるのは勿論のこと、閉塞部材１３５ｄを通して外科処置部１２０の身体内挿入時に電極チップ１３２による電気的事故及び身体内部組織の損傷乃至毀損などがより完璧に防止されることができる。
【００６３】
挿入管１４０は、上述のアダプタ１３０を内部に収容することができる絶縁性素材の管体からなりアダプタ１３０に印加された制御電源が外部に漏電することを遮蔽できる構造や形態からなるものであれば十分である。
【００６４】
ただし、本発明の実施例による挿入管１４０は、図２及び図３ｂなどに示されているように、上述の締結スリーブ１３４に対して摺動が可能なように締結スリーブ１３４を収容するノブ１４２と一体をなして結合されることができる。
【００６５】
このとき、ノブ１４２は、外周面に施術者が指で容易に把持することができる陥没部が放射形態に配置された円錐形状からなることができ、このような形状により、ボディー部１１０に対する外科処置部１２０の相対回転時に施術者の便宜が図られる。
【００６６】
そして、締結スリーブ１３４を収容することになるノブ１４２の内側には、図５に示されているように摺動板１３４ａ１に形成されたガイド溝１３４ａ２に嵌められてノブ１４２及び挿入管１４０の摺動を案内する相補的断面形状のガイド突起１４２ａが備えられることにより、挿入管１４０のアダプタ１３０に対する相対移動が正確且つ円滑に案内されることができるようになる。
【００６７】
また、締結スリーブ１３４を収容するノブ１４２の端部には、図５に示されているように、摺動板１３４ａ１の離脱を防止するために内側へ突出された阻止突起１４２ｂが形成され、阻止突起１４２ｂと接触することになる嵌合部１１６ｂの外周面にはノブ１４２及び挿入管１４０の摺動を段階別にさせる又は制限する一つ以上の摺動制限突起１１６ｂ１がリング状に離隔して突出形成されることができる。
【００６８】
このように挿入管１４０と一体に結合されたノブ１４２と締結スリーブ１３４との相互作動を通して、アダプタ１３０の電極チップ１３２は挿入管１４０内に正確に収納され引き出されることができるようになるため、外科処置部１２０の身体内挿入時に、尖って突出された電極チップ１３２による電気的事故及び身体内部組織の損傷乃至毀損などが源泉的に防止できるようになる。
【００６９】
以上で考察した構造、すなわち、一つの薄くて長い二重管体形状に製作されて上述のボディー部１１０に対して着脱結合及び相対回転し、電極チップ１３２が挿入管１４０の内部に選択的に収納される外科処置部１２０により、腹腔鏡手術のような身体内患部に対する最小侵襲手術への容易な適用、装置のメンテナンス上の利便性及び手術の利便性などが図られることができる。
【００７０】
また、このような外科処置部１２０により身体内患部に対する切開、止血（凝固）などのような多様な外科的処置及び外部から提供される流体の噴射及び吸入を通した患部周辺の洗浄などが共に施せるようになることにより、精密な外科的処置が不便なく容易になされることができるようになる。
【００７１】
調節部１５０は、上述の供給管１１２及び吸引管１１４の一側に備えられ、噴射又は吸引される流体の流量を調節する構成要素であり、軟質の供給管１１２と吸引管１１４の一側を加圧しながら流体の流動を開放又は閉鎖して流体の量を調節する方式乃至構造からなるものであれば、どんなものでも構わない。
【００７２】
ただし、本発明の実施例による調節部１５０は、図２及び図４に示されているように、一対のボタン部１５２ａ，１５２ｂ、加圧ロッド１５４ａ，１５４ｂ及びばね１５６ａ，１５６ｂなどを含んで構成されることができ、このような構成はいずれも上述の結合突起体１１６と別途に形成されて結合突起体１１６に締結されるか、又は結合突起体１１６と一体に形成された管据置きブラケット１５３に装着されることができる。
【００７３】
このとき、管据置きブラケット１５３は、マニホールド１１６ａとの締結と後述する加圧ロッド１５４ａ，１５４ｂによる加圧作動が安定的になされるようにするために供給管１１２と吸引管１１４によって貫通された状態でそれぞれを固定支持することになる。
【００７４】
一対のボタン部１５２ａ，１５２ｂは、ボディー部１１０に対してそれぞれ上下移動可能に突出して設けられ施術者の指による外力が直接作用することになる構成要素であり、その下端部それぞれは、供給管１１２及び吸引管１１４の下面を加圧するように構成された後述する加圧ロッド１５４ａ，１５４ｂの一端部と接触して施術者の外力が伝達されることになる。
【００７５】
一対の加圧ロッド１５４ａ，１５４ｂは、供給管１１２及び吸引管１１４をそれぞれ選択的に加圧又は加圧解除するために備えられた棒状の構成要素であり、一端部はボディー部１１０の内部すなわち、具体的には管据置きブラケット１５３の一側に回動可能に設けられ、他端部はボタン部１５２ａ，１５２ｂの下端部と接するように備えられることができる。
【００７６】
このとき、加圧ロッド１５４ａ，１５４ｂの中央部には管据置きブラケット１５３によって他面が支持された供給管１１２又は吸引管１１４の一面の一地点を正確に加圧するための加圧突起が上方に突出形成されることができ、これにより加圧ロッド１５４ａ，１５４ｂはボタン部１５２ａ，１５２ｂの上下移動によって回動して供給管１１２と吸引管１１４をそれぞれ正確に加圧遮蔽することができる。
【００７７】
ばね１５６ａ，１５６ｂは、ボタン部１５２ａ，１５２ｂの上方移動と加圧ロッド１５４ａ，１５４ｂの加圧遮蔽作動をそれぞれ強制するために弾性力を発揮する一対の構成要素であり、具体的に管据置きブラケット１５３の一側に対して回動可能に軸結合された加圧ロッド１５４ａ，１５４ｂと管据置きブラケット１５３との間で加圧ロッド１５４ａ，１５４ｂが上方に回動するように支持され設けられたトーションばね１５６ａ，１５６ｂで具現されることができる。
【００７８】
一方、調節部１５０は、図４に示されているように、一対のボタン部１５２ａ，１５２ｂの間に備えられ、少なくともいずれか一つのボタン部１５２ａ，１５２ｂが押された状態で固定されるようにする固定維持部１５８をさらに含むことができる。
【００７９】
このような固定維持部１５８は、図２、図４及び図５に示されているように、一対のボタン部１５２ａ，１５２ｂの間に薄い壁形態で形成された隔壁１５８ａと、隔壁１５８ａの上端部を貫通して押されたボタンを固定する固定ピン１５８ｂとで構成されることができ、このとき、隔壁１５８ａは上述の結合突起体１１６と一体に形成されることができる。
【００８０】
固定維持部１５８を通して一対のボタン部１５２ａ，１５２ｂが押された状態で固定されることで供給管１１２及び吸引管１１４の開放が維持できることにより、製品完成後に管体内部に対する完璧な滅菌作業が可能であり、後続の包装作業が滅菌状態でなされることができるようになる。
【００８１】
処置切換部１７０は、電源連結部１６０と連携された状態でボディー部１１０に備えられ、電極チップ１３２の患部に対する外科的処置を選択的に切り換える構成要素であり、これにより施術者は離隔された場所に設けられた外部の電源装置（図示せず）を直接操作しなくても本発明による医療装置１００を通して適切且つ迅速な外科的処置を施すことができるようになる。
【００８２】
本発明の実施例による処置切換部１７０は、図２などに示されているように回路基板１７４及びシーソーボタン１７２などで構成されたスイッチングモジュールで具現されることができる。
【００８３】
ここで回路基板１７４は、止血、凝固、切開に対応する電気エネルギを有する少なくとも２個以上の制御電源が個別的に印加された電線１６０ａ，１６０ｂ，１６０ｃがそれぞれ区別されるように接続され、後述する継電スイッチ１８０（具体的に板バネ１８４側）と電気的に連結される構成要素である。
【００８４】
そして、シーソーボタン１７２は、所定範囲内で多段回転して接続された電線１６０ａ，１６０ｂ，１６０ｃのうちいずれか一つを選択的にアダプタ１３０（具体的に、後述する接触端子１８２）に通電させる構成要素である。
【００８５】
このようなスイッチングモジュールの切換操作（スイッチング操作）を通して止血、凝固、切開及び停止モードのうち少なくとも２以上のモードにそれぞれ対応する制御電源が選択されてアダプタ１３０に印加されることができるようになるのである。
【００８６】
継電スイッチ１８０は、上述のスイッチングモジュールに接続されて印加された制御電源がアダプタ１３０に選択的に伝達されるようにする電源断続機能と、外科処置部１２０がボディー部１１０から分離されることを防止するロック機能と、結合された外科処置部１２０がボディー部１１０から分離されるようにするロック解除機能とを同時に行う構成要素である。
【００８７】
このような機能乃至作用の具現のために、本発明の実施例による継電スイッチ１８０は、図２及び図３に示されているように接触端子１８２、板バネ１８４及び押しボタン１８６などを含んで構成されることができる。
【００８８】
先ず、接触端子１８２は、ボディー部１１０の内側でアダプタ１３０に向かって進退してアダプタ１３０に選択的に接続することになる導電性の構成要素であり、後述する押しボタン１８６の一側で内側に突出形成されて押しボタン１８６に加えられる外力によって嵌合部１１６ｂの端子接続孔１１６ｃを貫通して前進及び後退作動をすることになる。
【００８９】
このような接触端子１８２は、図３（ａ）に示されているように、アダプタ１３０と結合された導電性のパッキング端子１３４ｂが嵌合部１１６ｂに完全に嵌められた状態で押しボタン１８６に外力が加わらなくなると、後述する板バネ１８４の弾性力が作用するようになる結果、端子接続孔１１６ｃを貫通してパッキング端子１３４ｂと強制接続ないし通電状態をなすことになる。
【００９０】
これにより処置切換部１７０（スイッチングモジュール）に接続された制御電源は、接触端子１８２、パッキング端子１３４ｂ及びアダプタ１３０を経て、結局、電極チップ１３２に印加されて処置切換部１７０により選択された外科的処置が施されることができるようになる。
【００９１】
また、接触端子１８２がパッキング端子１３４ｂの締結溝１３４ｂ２に嵌められた状態であるため、ボディー部１１０から外科処置部１２０が分離されるのを防止するロック状態を維持するにことにより安定的な外科的処置が施されることになる。
【００９２】
その反面、図３（ｂ）に示されているように、アダプタ１３０と結合された導電性のパッキング端子１３４ｂが嵌合部１１６ｂに完全に嵌められた状態で押しボタン１８６に外力が加わることになると、後述する板バネ１８４が外力によって弾性変形され押されることにより、接触端子１８２はパッキング端子１３４ｂとの接続が切れることになり処置切換部１７０によって選択された外科的処置は中断されることになる。
【００９３】
また、接触端子１８２はパッキング端子１３４ｂの締結溝１３４ｂ２から離脱されることから、外科処置部１２０はボディー部１１０から分離が可能なロック解除状態に置かれることにより、外科処置部１２０の交換などが容易に行われることができるようになる。
【００９４】
板バネ１８４は、接触端子１８２から延長形成されてスイッチングモジュールに接続される一方、接触端子１８２がアダプタ１３０に接続されるように弾性力を発揮する導電性の構成要素であり、全体的にコの字形状からなり、一端部が接触端子１８２と連結された状態で他端部はボディー部１１０の内側面に支持された形態で弾性力を発揮することになる。
【００９５】
押しボタン１８６は、一側で内側に突出形成された接触端子１８２とアダプタ１３０との間を選択的に断続させる構成要素であり、嵌合部１１６ｂの外周面を取り囲むリング状に備えられ、一端部がボディー部１１０の外側に突出され、他端部が接触端子１８２と結合されて構成される。
【００９６】
上記のような構造からなる継電スイッチ１８０による電源断続機能を通して電気的事故などの危険がより低減されることができ、手術中に意図しない外科処置部１２０の分離が防止できることから施術者はより安定的に外科的処置を施すことができるようになる。
【００９７】
先に本発明の特定の実施例が説明及び図示されているが、本発明は記載の実施例に限定されるものではなく、本発明の思想及び範囲を逸脱しない範囲で多様な修正及び変形が可能であることは、本技術の分野における通常の知識を有する者にとって自明なことである。従って、かかる修正例または変形例は本発明の技術的思想や観点から個別的に理解されてはならず、変形された実施例は本発明の特許請求の範囲に属するものとされなければならない。
【符号の説明】
【００９８】
１００：      外科手術用医療装置
１１０：      ボディー部
１１２：      供給管
１１４：      吸引管
１１６：      結合突起体
１１６ａ：    マニホールド
１１６ｂ：    嵌合部
１１６ｂ１：  摺動制限突起
１１６ｃ：    端子接続孔
１２０：      外科処置部
１３０：      アダプタ
１３１：      中空
１３２：      電極チップ
１３４：      締結スリーブ
１３４ａ：    絶縁ボディ
１３４ａ１：  摺動板
１３４ａ２：  ガイド溝
１３４ｂ：    パッキング端子
１３４ｂ１：  Ｏリング
１３４ｂ２：  締結溝
１３５：      支持部材
１３５ａ：    支えロッド
１３５ｂ：    固定部材
１３５ｃ：    支持ロッド
１３５ｄ：    閉塞部材
１４０：      挿入管
１４２：      ノブ
１４２ａ：    ガイド突起
１４２ｂ：    阻止突起
１５０：      調節部
１５２ａ，１５２ｂ：  ボタン部
１５３：      管据置きブラケット
１５４ａ，１５４ｂ：  加圧ロッド
１５６ａ，１５６ｂ：  ばね
１５８：      固定維持部
１５８ａ：    隔壁
１５８ｂ：    固定ピン
１６０：      電源連結部
１６０ａ，１６０ｂ，１６０ｃ：  第１、２、３電線
１７０：      処置切換部（スイッチングモジュール）
１７２：      シーソーボタン
１７４：      回路基板
１８０：      継電スイッチ
１８２：      接触端子
１８４：      板バネ
１８６：      押しボタン
【図１ａ】
2019198648.tif 000003
【図１ｂ】
2019198648.tif 000004
【図２】
2019198648.tif 000005
【図３】
2019198648.tif 000006
【図４】
2019198648.tif 000007
【図５】
2019198648.tif 000008
【図６】
2019198648.tif 000009